(57)【特許請求の範囲】
【請求項１】
ポータブル電子デバイスのロックスクリーン上でショートカットを提供するための制御方法であって、
前記ポータブル電子デバイス上にインストールされた複数のアプリケーションの実行履歴を表すアプリケーション使用履歴を記憶するステップであって、前記アプリケーション使用履歴は、前記アプリケーションに関連する少なくとも１つの予め定められたイベントの時刻情報及び位置情報の少なくとも１つを含み、前記予め定められたイベントは、バックグラウンドにおける実行からフォアグラウンドにおける実行に切替えられるイベントを含む、ステップと；
前記ポータブル電子デバイスの現在時刻及び現在位置の少なくとも１つを取得するステップと；
前記アプリケーション使用履歴、及び前記現在時刻及び前記現在位置の少なくとも１つに従って、前記複数のアプリケーションから、実行の要求がなされる最も可能性の高いアプリケーションを選択するステップと；
前記ポータブル電子デバイスの前記ロックスクリーン上に、前記選択されたアプリケーションを起動させるために使用されるショートカットアイコンを表示するステップと；
前記ポータブル電子デバイスが前記ショートカットアイコンを介して前記ロックスクリーンからアンロックされたときに、前記選択されたアプリケーションを起動させるステップと；
を有する制御方法。
【請求項２】
前記アプリケーション使用履歴、及び前記現在時刻及び前記現在位置の少なくとも１つに従って、前記複数のアプリケーションから、実行の要求がなされる最も可能性の高いアプリケーションを選択するステップは：
前記アプリケーション使用履歴、及び前記現在時刻及び前記現在位置の少なくとも１つに従って、前記アプリケーションのための実行確率を生成するステップと；
前記複数のアプリケーションから、実行が要求される最も可能性の高い前記アプリケーションとして、実行確率の高い前記アプリケーションを選択するステップと、
を含む、請求項１記載の制御方法。
【請求項３】
前記アプリケーション使用履歴は、予め定められた期間の間に記録される、請求項１記載の制御方法。
【請求項４】
前記予め定められたイベントは、アプリケーションが起動されるイベント；アプリケーションが起動するイベント及び前記アプリケーションを終了させる他のイベント；及びアプリケーションが使用中であるイベント；の少なくとも１つ、又は、それらの組合せを有する、
請求項３記載の制御方法。
【請求項５】
前記ポータブル電子デバイスが前記ショートカットアイコンを介して前記ロックスクリーンからアンロックされたときに、前記選択されたアプリケーションを起動させるステップは：
前記ポータブル電子デバイスで、セキュリティ検証手順を実行するステップと；
前記ポータブル電子デバイスでの前記セキュリティ検証手順がパスしたときに、前記選択されたアプリケーションを起動させるステップと；
を含み、
前記ポータブル電子デバイスの現在位置は、前記ポータブル電子デバイスの前記位置に対応するセル識別（Ｃｅｌｌ−ＩＤ）の情報、グローバル・ポジショニング・システムの位置情報、及びワイヤレス・アクセスポイントのアドレス情報、の少なくとも１つの情報を含む、
請求項１記載の制御方法。
【請求項６】
ポータブル電子デバイス上にインストールされた複数のアプリケーションの実行履歴を表すアプリケーション使用履歴を記憶するために使用される記憶ユニットであって、前記アプリケーション使用履歴は、前記アプリケーションに関連する少なくとも１つの予め定められたイベントの時刻情報及び位置情報の少なくとも１つを含み、前記予め定められたイベントは、バックグラウンドにおける実行からフォアグラウンドにおける実行に切替えられるイベントを含む、記憶ユニットと；
前記ポータブル電子デバイスの現在時刻及び現在位置の少なくとも１つを取得するために使用される検出ユニットと；
前記複数のアプリケーションから、前記アプリケーション使用履歴、及び前記現在時刻及び前記現在位置の少なくとも１つに従って、実行要求のために最も可能性の高いアプリケーションを選択するための制御ユニットであって、前記制御ユニットは、更に、ロックスクリーン上の前記選択されたアプリケーションを起動させるために使用されるショートカットアイコンを表示するために使用され、かつ、更に、前記ポータブル電子デバイスが前記ショートカットアイコンを介して前記ロックスクリーンからアンロックされたとき、前記選択されたアプリケーションを起動させるために使用される前記ポータブル電子デバイスを制御するために使用される、制御ユニットと；
を有する、ポータブル電子デバイス。
【請求項７】
前記制御ユニットが、前記アプリケーション使用履歴、及び前記現在時刻及び前記現在位置の少なくとも１つに従って、前記アプリケーションのための実行確率を生成し、かつ、実行要求されるために最も可能性の高い前記アプリケーションとして最も高い実行確率を持つ前記アプリケーションを前記複数のアプリケーションから選択する、
請求項６記載のポータブル電子デバイス。
【請求項８】
前記アプリケーション使用履歴は、予め定められた期間の間に記録される、請求項７記載のポータブル電子デバイス。
【請求項９】
前記予め定められた少なくとも１つのイベントは、アプリケーションが起動するイベント；アプリケーションが起動するイベント及び前記アプリケーションを終了させる他のイベント；及びアプリケーションが使用中であるイベント；の少なくとも１つ、又はこれらの組合せを有する、請求項８記載のポータブル電子デバイス。
【請求項１０】
前記ポータブル電子デバイスがショートカットアイコンを介して前記ロックスクリーンからアンロックされたとき、前記ポータブル電子デバイスは、セキュリティ検証手順を実行し、かつ、前記ポータブル電子デバイスの前記セキュリティ検証がパスしたとき、前記選択されたアプリケーションを起動させ；
前記検出ユニットが：
前記ポータブル電子デバイスの前記現在位置として、セル識別（Ｃｅｌｌ−ＩＤ）情報を提供するために使用される、セル識別（Ｃｅｌｌ−ＩＤ）検出器と；
前記ポータブル電子デバイスの前記現在位置としてＧＰＳ位置情報を提供するために使用されるグローバル・ポジショニング・システム（ＧＰＳ）と；
前記ポータブル電子デバイスの前記現在位置としてワイヤレス・アクセスポイントのアドレス情報を提供するために使用されるワイヤレス・ネットワーク・コネクタと；
の少なくとも１つ、又はこれらの組合せを有する、請求項６記載のポータブル電子デバイス。
【請求項１１】
ポータブル電子デバイス上にインストールされた複数のアプリケーションの実行履歴を表すアプリケーション使用履歴を記憶するステップであって、前記アプリケーション使用履歴は、前記アプリケーションに関連する少なくとも１つの予め定められたイベントの時刻情報及び位置情報の少なくとも１つを含み、前記予め定められたイベントは、バックグラウンドにおける実行からフォアグラウンドにおける実行に切替えられるイベントを含む、ステップと；
前記ポータブル電子デバイスの現在時刻及び現在位置の少なくとも１つを取得するステップと；
前記アプリケーション使用履歴、及び前記現在時刻及び前記現在位置の少なくとも１つに従って、前記複数のアプリケーションから、実行の要求がなされる最も可能性の高いアプリケーションを選択するステップと；
前記ポータブル電子デバイスのロックスクリーン上に、前記選択されたアプリケーションを起動させるために使用されるショートカットアイコンを表示するステップと；
前記ポータブル電子デバイスが前記ショートカットアイコンを介して前記ロックスクリーンからアンロックされたときに、前記選択されたアプリケーションを起動させるステップと；
をコンピュータに実行させるプログラム。
【発明の詳細な説明】
【技術分野】
【０００１】
開示された実施例は、一般に、電子デバイス、制御方式及びコンピュータプログラム、そのポータブル電子デバイス、制御方式及びコンピュータプログラム製品に関する。
【背景技術】
【０００２】
本出願は、台湾に２０１１年１月１３日に出願の出願番号第１００１０１３０９号の利益を享受する。そして、当該特許の明細書が完全に本願明細書に引用されたものとする。
近年、ポータブル電子デバイス（例えばタッチ電話、パーソナル携帯情報機器（ＰＤＡ）及び携帯電話）の分野の研究は、著しい発展を遂げている。通常、携帯型電子デバイスは、種々のアプリケーションをユーザに提供する。
【０００３】
一般に、ユーザがアプリケーションを使用する場合、ポータブル電子デバイスは、階層的な形式で構成され、ユーザがこれを検討し、かつこれを選択するめのメニューの形で提示される。しかしながら、ユーザがアプリケーションを作動させることを望む場合、所望のアプリケーションが導入される前に、そのユーザは、メニューのいくつかの階層構造を経ることが必要となる。
例えば、ユーザが、ブラウザを起動してニュースを読みたいと欲する場合、プログラムファイルを起動させ、ブラウザフォルダを開き、ブラウザアプリケーションをロードし、ブラウザアプリケーションをクリックし、そして、ニュースのウェブページを検索することを含む手順が要求される。これらの上記手順は、ユーザにとって退屈であり、不便である。したがって、この業界においては、ポータブル電子デバイスを使用するための利便性を増加させる必要性が存在する。
【０００４】
特許文献１は、ポータブル電子デバイスを開示する。ポータブル電子デバイスは、タッチスクリーン、記憶デバイス、ポインタ生成部、アイコン・ジェネレータ、及びコントローラを有する。タッチスクリーンは、待機スクリーンを提供する。記憶デバイスは、階層メニューに設置されたアイテムに対応する複数の登録された機能を記憶する。そして、登録された機能の各々は、それぞれのスクリーンをタッチスクリーンに表示するために動作する。ポインタ生成部は、対応するアイテムの階層メニューの位置に関わらず、１つの登録された機能を指し示すポインタを生成する。アイコン・ジェネレータは、待機スクリーンに、ポインタに関連づけられた、ショートカットアイコンを生成する。コントローラは、ショートカットアイコンが予め定められた方法で操作されたか否かを判断し、かつその場合は、操作されたショートカットアイコンに対応する登録された機能を起動させる
【先行技術文献】
【特許文献】
【０００５】
【特許文献１】米国特許出願公開番号第２００７／０２６１００２号明細書「ポータブル電子デバイスを制御するためのシステムと方法」
【発明の概要】
【発明が解決しようとする課題】
【０００６】
本開示は、ポータブル電子デバイス、及びこれの制御方法及びコンピュータプログラムプロダクトに係り、ポータブル電子デバイスの利便性を向上させ、このポータブル電子デバイスの操作を簡素化し、より有用にすることを目的とする。
【課題を解決するための手段】
【０００７】
１実施例によれば、ポータブル電子デバイス、及びこの制御方法及びコンピュータプログラム製品は、ロックスクリーン上のショートカットを提供するために提供される。制御方法は、以下の諸段階を含む。ポータブル電子デバイス上にインストールされる多くのアプリケーションの実行の履歴を表すアプリケーション使用履歴が記憶される。現在時刻及びポータブル電子デバイスの現在位置のうちの少なくとも１つが取得される。このアプリケーションから、アプリケーション利用履歴及び少なくとも現在の時刻及び現在の場所に従って、実行の要求が最もなされる可能性のあるアプリケーションが選択される。選択されたアプリケーションを起動させるために使用されるショートカットアイコンは、ポータブル電子デバイスのロックスクリーンに表示される。ポータブル電子デバイスがショートカットアイコンを介してロックスクリーンからアンロックされると、選択されたアプリケーションが起動する。
【０００８】
他の実施形態において、検出ユニット、及び制御ユニットを含むポータブル電子デバイスが提供される。記憶ユニットは、ポータブル電子デバイス上にインストールされた多くのアプリケーションの実行履歴を示すアプリケーション使用履歴を記憶するために使用される。検出ユニットは、ポータブル電子デバイスの現在時刻及び現在位置のうちの少なくとも１つを取得するために使用される。制御ユニットは、アプリケーション使用履歴、及び現在時刻及び現在位置のうちの少なくとも１つに従って、実行の要求がなされる可能性が最も高いアプリケーションを、複数のアプリケーションの中から選択するために利用される。制御ユニットは、更に、選択されたアプリケーションを起動するのに使用されるショートカットアイコンをロックスクリーン上に表示するために、ポータブル電子デバイスを制御するために使用される。ポータブル電子デバイスがショートカットアイコンを介してロックスクリーンからアンロックされたとき、制御ユニットは選択されたアプリケーションを起動させるために更に使用される。
【０００９】
他の実施例によれば、コンピュータプログラム製品が提供される。コンピューティングデバイスがコンピュータプログラムを実行すると、コンピューティングデバイスはポータブル電子デバイスにおいて、上述した制御方法を完了する。
【図面の簡単な説明】
【００１０】
【図１】実施例に従った制御方法のフローチャートを示す図である。
【００１１】
【図２】実施例に従ってポータブル電子デバイスの実施例のブロック図を示す。
【００１２】
【図３】図２のポータブル電子デバイス、及びこれにより示されるロックスクリーンの実施例の概要図を示す。
【発明を実施するための形態】
【００１３】
以下の詳細な説明において、説明のため、開示された実施例の完全な理解を提供するために多数の具体的な詳細事項が記載される。１つ以上の実施例がこれらの具体的な詳細なしで実施されてもよいことは、明らかである。他の例において、周知の構造及びデバイスは、図面を単純化するために、図式的に示される。
【実施例】
【００１４】
図１を参照すると、実施例に従った制御方法のフローチャートが示されている。本制御方法は、ポータブル電子デバイスのロックスクリーン上のショートカットを提供する。方法は、いくつかのステップを含む。ステップＳ１１０において、ポータブル電子デバイス上にインストールされた多くのアプリケーションの実行履歴を表すアプリケーション使用履歴が記憶される。ステップＳ１２０において、現在時刻及びポータブル電子デバイスの現在位置のうちの少なくとも１つが取得される。ステップＳ１３０において、アプリケーションは、アプリケーション使用履歴及び現在時刻及び現在位置のうちの少なくとも１つに従ってアプリケーションから選択される。選択されたアプリケーションは、実行のために要求される可能性が最も高い。ステップＳ１４０において、選択されたアプリケーションを起動させるために使用されるショートカットアイコンがポータブル電子デバイスのロックスクリーンに表示される。ステップＳ１５０において、ロックスクリーンからアンロックされたとき、ポータブル電子デバイスがショートカットアイコンを介して、選択されたアプリケーションが起動される。
【００１５】
前記実施例において開示されるポータブル電子デバイスの制御方法によれば、ユーザによって最も使用される可能性のあるアプリケーションが、アプリケーション使用履歴を使用することにより特定される。このことは、本実施例によって、ポータブル電子デバイスのユーザによる操作の行動を構築又は予測することができるということを意味する。したがって、この種のアプリケーションのショートカットアイコンは、適切な時刻、又は、位置で提供することができる。その結果、ユーザは所望のアプリケーションを便利に起動させることができる。このような方法で、ポータブル電子デバイスを使用するための利便性が増加する。以下、制御方法を使用したポータブル電子デバイスの実施例について更に詳細に説明する。
【００１６】
図２を参照すると、実施例によるポータブル電子デバイスの実施例のブロック図が示されている。ポータブル電子デバイス２００は、記憶ユニット２１０、検出ユニット２２０、制御ユニット２３０、及びタッチスクリーン２４０を含む。ユニット間のオペレーションの関係については、以下に説明する。
【００１７】
記憶ユニット２１０は、アプリケーションの実行履歴を表すアプリケーション使用履歴ＡＰＰ−ＵＨを記憶するために使用される。アプリケーション使用履歴ＡＰＰ−ＵＨは、例えばアプリケーションに関連した少なくとも１つの予め定められたイベントの少なくとも１つの時刻情報及び位置情報を含む。換言すれば、特定のアプリケーションに関連した予め定められたイベントが発生したときに、予め定められたイベントの時刻情報又は位置情報のうちの少なくとも１つが記憶ユニット２１０に記憶され、かつアプリケーション使用履歴ＡＰＰ−ＵＨに記録される。予め定められたイベントは、例えば、アプリケーションが起動するイベント、アプリケーションが終了するイベント、又は、アプリケーションが使用中であるイベントである。時刻情報、又は、位置情報が検出ユニット２２０によって提供され得る。これは、現在時刻Ｔｃを検出するための検出要素および／または現在位置Ｌｃおよび／またはそれの組合せを検出するための検出要素によって実現することができる。例えば、検出ユニット２２０は、セル識別情報（Ｃｅｌｌ−ＩＤ）検出器２２１、グローバル・ポジショニング・システム（ＧＰＳ）２２２、及びワイヤレス・ネットワーク・コネクタ２２３を含む。Ｃｅｌｌ−ＩＤ検出器２２１は、ポータブル電子デバイス２００の現在位置Ｌｃとして、Ｃｅｌｌ−ＩＤ情報Ｌ１を提供する。グローバル・ポジショニング・システム２２２は、ポータブル電子デバイス２００の現在位置Ｌｃとして、ＧＰＳ位置情報Ｌ２を提供する。ワイヤレス・ネットワーク・コネクタ２２３は、ポータブル電子デバイス２００の現在位置Ｌｃとして、ワイヤレス・アクセスポイントのアドレス情報Ｌ３を提供する。現在時刻Ｔｃを取得する方法を以下に示す。例えば、電気通信サービスによって提供されるサーバ時刻Ｔ１（例えば現地時刻、又は、タイムゾーン時刻）が、電気通信回線（不図示）から、Ｃｅｌｌ−ＩＤ検出器２２１によって取得され得る。他の例としては、ＧＰＳ位置情報Ｌ２に関連する衛星時刻Ｔ２が、グローバル・ポジショニング・システム２２２によって取得され得る。他の例としては、インターネット時刻Ｔ３が、ワイヤレス・ネットワーク・コネクタ２２３によって取得され得る。他の例としては、ポータブル電子デバイス２００のシステム時刻は、インターナルタイマ（不図示）、又は、クロックによって取得することができる。したがって、アプリケーションのさまざまな予め定められたイベントの適切な設計に従って、制御ユニット２３０は、アプリケーション使用履歴ＡＰＰ−ＵＨを分析することによって、デバイスが記憶ユニット２１０において記憶した動作のユーザの反応を知り、又は、予測することができ、かつ、どのアプリケーションが特定の時刻、又は、位置でユーザによって最も使用されそうであるかについて予測することができる。
【００１８】
実施例において、予め定められたイベントは、アプリケーションが起動するイベントの例とされる。更なる具体例としては、ユーザがアプリケーションの起動を要求した場合、アプリケーションが起動する時刻及び位置を記憶ユニット２１０に記憶することができる。例えば、ユーザが、自身の通信パス上でインターネットアプリケーションを起動させる要求を行った場合、どの時刻にインターネットアプリケーションが起動されたかに関する情報は、記憶ユニット２１０に格納されてもよい。これによって、ポータブル電子デバイス２００は、格納されたデータを分析し、ユーザの挙動を予測する。
【００１９】
別の実施例において、少なくとも１つの予め定められたイベントは、アプリケーションが起動するイベント、及び他のイベントは、アプリケーションが終わったことを示すイベントの例となる。本実施例は、上述の実施例と以下の点で類似している。ユーザがアプリケーションを起動させる要求を出した場合、いつ及び／又はどこでそのアプリケーションが起動されたかが記憶ユニット２１０に記憶される。しかしながら、ユーザがアプリケーションを終了させる要求を出した場合に、いつ及び／又は何処でそのアプリケーションが終了したかについても記憶ユニットに記憶される点で、上述の実施例とは異なる。
【００２０】
別の実施例において、予め定められたイベントは、アプリケーションが使用中であるイベントの例とされる。予め定められたイベントが、アプリケーションが起動し、および／または終了するイベントとしての例とされる前記実施例と異なって、本実施例では、アプリケーションが連続的に使用中である場合、定期的に記憶ユニット２１０にアプリケーションの時刻および／または位置情報を記憶する。例えば、時刻及び／又は位置情報は、５秒ごとに記憶ユニット２１０に定期的に記憶することができる。また、もう１つの実施例では、予め定められたイベントが、アプリケーションがバックグラウンドでの実行から、フォアグラウンドでの実行にスイッチしたイベントの例として挙げられる。イベントに適用できるポータブル電子デバイス２００は、マルチタスキング・オペレーティング・システムを備えている。すなわち、制御ユニット２３０は、いくつかのアプリケーションの制御実行が可能なプロセッサを有する。この種のプロセッサの制御下で、最初の起動では、アプリケーションはフォアグラウンドにおいて起動する。アプリケーションがフォアグラウンドでの実行の後に終わらない場合、アプリケーションはバックグラウンドへ移動する。例えば、ユーザが、最初に音楽を再生するプログラムの起動を要求し、未だ音楽を再生するプログラムが終了しない場合、音楽再生プログラムはバックグラウンド実行にシフトする。そして、音楽再生のプログラムを再び起動する要求を行いたい場合、そのデバイスは、音楽再生プログラムをバックグラウンドからフォアグラウンドにスイッチさせる。このイベントは、バックグラウンド実行からフォアグラウンド実行へのアプリケーションのスイッチのイベントとして認識される。この場合、時刻情報及び位置情報のうちの少なくとも１つは、記憶ユニット２１０に記憶される。
【００２１】
記憶ユニット２１０において記憶されるアプリケーション使用履歴ＡＰＰ−ＵＨは、予め定められた期間の間に記録される。例えば、アプリケーション使用履歴ＡＰＰ−ＵＨは、期間（例えば最近の３ヵ月）の間記録してもよい。したがって、ユーザのオペレーションとともに、アプリケーション使用履歴ＡＰＰ−ＵＨのコンテンツが、連続的に更新される。これによって、ポータブル電子デバイス２００は、蓄積されたデータを分析し、ユーザの挙動を予測する。これにより、予測は、アプリケーションを使用する際のユーザの最近の習慣により近いものとなる。なお、予め定められたイベントは説明のためのものであり、開示はそれに制限されない。アプリケーションを使用する際のユーザの挙動を適切に予測することができるイベントであれば、この種のイベントは本開示の予め定められたイベントと捉えることができる。
【００２２】
制御ユニット２３０は、アプリケーション使用履歴ＡＰＰ−ＵＨ、及び現在時刻Ｔｃ及び現在位置Ｌｃのうちの少なくとも１つに従って、実行が要求される可能性の最も高いアプリケーションを、複数のアプリケーションから選択するために使用される。実施例において、制御ユニット２３０は、アプリケーション使用履歴ＡＰＰ−ＵＨ及び現在時刻Ｔｃ及び現在位置Ｌｃのうちの少なくとも１つに従って、アプリケーションに対する実行確率を生成するために使用される。それから、制御ユニット２３０は、最も実行される確率が高いアプリケーションをアプリケーションから選択し、かつ実行のために要求される最も可能性の高いアプリケーションとして、選択されたアプリケーションを提供する。
【００２３】
更なる説明のために、最も実行される確率の高いアプリケーションを複数のアプリケーションから選択するインプリメンテーションが提供される。この場合、現在時刻Ｔｃからみて、特定のアプリケーションが現在時刻で頻繁に起動するアプリケーションを、使用履歴ＡＰＰ−ＵＨから特定することができる。このように、特定されたアプリケーションは、現在時刻で最も高い実行可能性があるアプリケーションとして決定される。例えば、午前９：００時に毎日特定のウェブサイトでニュースを読むためにブラウザアプリケーションを起動させるユーザが挙げられる。この場合、記憶ユニット２１０が予め定められた期間の間にアプリケーション使用履歴ＡＰＰ−ＵＨを記録したあと、アプリケーション使用履歴ＡＰＰ−ＵＨは、午前９：００時でブラウザを実行することをいくつか記録に残す。アプリケーション使用履歴ＡＰＰ−ＵＨに基づいて、制御ユニット２３０は、ユーザが午前９：００時にブラウザを起動させ、かつ特定のニュース・ウェブサイトに接続する可能性が非常に高いことを特定することができる。換言すれば、現在の時刻が午前９：００時のとき、制御ユニット２３０は、ブラウザを、使用される確率が高いアプリケーションとみなし、かつそれを実行要求される確率が最も高いアプリケーションとして扱う。他の例としては、ユーザが毎日児童を迎えに行くために学校、又は、指導学校のような特定の場所に行き、かつ特定の電話番号に電話をかけるために電話アプリケーションを起動させると仮定する。この場合、記憶ユニット２１０が予め定められた期間の間にアプリケーション使用履歴ＡＰＰ−ＵＨを記録したあと、アプリケーション使用履歴ＡＰＰ−ＵＨは学校、又は、指導学校の位置周辺で電話アプリケーションを起動させるいくつかの記録を残す。アプリケーション使用履歴ＡＰＰ−ＵＨに基づいて、制御ユニット２３０は、ユーザが、学校、又は指導学校の位置周辺で電話アプリケーションを起動させて、又は、特定の電話番号のための電話をする可能性が高いことを特定することができる。換言すれば、ユーザが、学校、に近いか、又は、指導学校に到着した場合、制御ユニット２３０は、電話アプリケーションが使用される確率が最も高いアプリケーションとみなし、かつそれを実行のために要求されるために最も可能の高いアプリケーションであるとみなす。
【００２４】
上記の方法を使用したアプリケーションの実行確率は、実施例を例示するために開示するものである。その他の実施例では、制御ユニット２３０は、他のデータ分析法（例えば線形／非線形分類法アルゴリズム、又は、ニューラル・ネットワークに基づく方法）に従って、アプリケーション使用履歴ＡＰＰ−ＵＨを分析することができる。ユーザの挙動を構築し、かつ、現在時刻Ｔｃ、又は、現在位置Ｌｃでユーザによって最も使用される可能性のあるアプリケーションを取得する。
【００２５】
制御ユニット２３０は、更にポータブル電子デバイス２００を制御するために使用される。そして、選択されたアプリケーションを起動させたショートカットアイコンをロックスクリーンＦｌｓ上に表示する。図３を参照する。図２のポータブル電子デバイス２００及びこれにより示されるロックスクリーンの実施例の概要図が示されている。制御ユニット２３０は、例えばロックスクリーンＦｌｓを表示するために、タッチスクリーン２４０を制御する。ロックスクリーンＦｌｓは、ポータブル電子デバイス２００がロック状態となり、したがって利用できないことを示している。
【００２６】
制御ユニット２３０は、ポータブル電子デバイス２００がショートカットアイコンを介してロックスクリーンＦｌｓからアンロックされたときに、実行の要求がなされる最も可能性の高い選択されたアプリケーションを起動させるために、更に使用され。アプリケーションを起動させる実施例において、タッチスクリーン２４０が予め定められたスライド・オペレーション、又は、予め定められたクリック・オペレーションを受信した場合、ポータブル電子デバイス２００はアンロックされ、かつ対応するショートカットアイコンＩｃのアプリケーションを起動させる。例えば、制御ユニット２３０は、タッチスクリーン２４０に、ショートカットアイコンＩｃに代えて、バー状のアイコンを表示するよう制御することができる。なお、予め定められたスライド・オペレーション、又は、クリック・オペレーションに関しては、ユーザは、ショートカットアイコンＩｃをクリックしてもよく、かつバー状のアイコンによって示されて方向の方へスライドさせて、アンロック手順を完了させ、対応するアプリケーションを起動させてもよい。実行において、上記の予め定められたスライド・オペレーションは、ショートカットアイコンＩｃを押し、かつ特定の方向の方へ移動させることにより行ってもよい。
【００２７】
アプリケーションを起動させる他の実施例において、タッチスクリーン２４０が、上記予め定められたスライド・オペレーション、又は、クリック・オペレーションを受信した場合、ポータブル電子デバイス２００は最初に、ロックスクリーンＦｌｓからアンロックされ、その後、セキュリティ検証手順を提供してもよい。したがって、本実施例において、セキュリティ検証手順にパスした場合にだけ、制御ユニット２３０は選択されたアプリケーションを開いて（実行して）もよい。ポータブル電子デバイス２００がセキュリティ検証手順をパスできる情報の例としては、キーボード、又は、タッチスクリーン２４０を介して入力されたコード情報（例えば英語の文字、数、又は、シンボルから成る文字列）、スライドパスに沿ってタッチスクリーン２４０をタッチすることによって入力されるパターン情報（例えば、ユーザがタッチスクリーン２４０上でＺを描く情報）としてジェスチャ入力情報、が含まれる。しかしながら、開示は、上記の例に限られない。
【００２８】
アプリケーションを起動させる別の実施例において、ポータブル電子デバイス２００は、直接上述したセキュリティ検証手順を提供する。セキュリティ検証手順をパスする場合、ポータブル電子デバイス２００はアンロックされ、かつ同時に、ショートカットアイコンＩｃの対応するアプリケーションを起動させる。
【００２９】
前記実施例は、ポータブル電子デバイスをアンロックし、かつアプリケーションを起動させる方法を例示する。ロックスクリーンＦｌｓは、誤ってタッチされたとき、不用意にポータブル電子デバイス２００が予想外の結果となることを回避するため存在する。ロックスクリーンＦｌｓは、また、セキュリティを強化する機能を有するよう設計してもよい。実際には、ロックスクリーンＦｌｓはまた、「アイドル状態スクリーン」とも呼ばれ、パーム拒否機能を有する。しかし、開示は、これに制限されない。要するに、本実施例によれば、便利にユーザに対してアプリケーションの起動を提供するショートカットアイコンが、ロックスクリーンに表示される。その結果、ポータブル電子デバイスで有用な利便性が増加し、かつ、ポータブル電子デバイスのオペレーションはよりシンプル、かつ効率的になる。
【００３０】
本実施例は、ユーザの挙動を形成し、かつユーザの利便性をより高めるために、対応するショートカットアイコンを生成する。換言すれば、記憶ユニット２１０は、ユーザが特定の時刻、又は、特定の位置で特定のアプリケーションを起動させるために使用される場合の、ユーザの挙動に関連するアプリケーション使用履歴ＡＰＰ−ＵＨを収集することができる。例えば、通信を利用する時間の間にインターネットアプリケーションを起動させ、そして、予定の時刻に、又は、予定の位置で毎日児童を迎えに行くときに、電話アプリケーションを起動させる。あるいは、毎週、又は、毎日、特定の時刻に電話を自宅にかけたいと感じるときに、電話アプリケーションを起動させる。したがって、ポータブル電子デバイス２００は、ユーザが次に何をすることを望むか、又は、どのアプリケーションが最も使用される可能性があるか予測することができる。そして、ユーザが所望のアプリケーションを簡便に開くことができるよう、ポータブル電子デバイス２００は予測されたアプリケーション（例えばインターネットアプリケーション、又は、データ通信プログラム）及び関連している命令、又は、パラメータの（例えばウェブサイト、又は、電話番号）ショートカットアイコンを表示する。
【００３１】
また、コンピュータプログラム製品が、実施例において更に提供される。コンピューティングデバイスがコンピュータプログラムを実行することによって、コンピューティングデバイスは、ポータブル電子デバイスによる上述した制御方法を実行する。
【００３２】
ポータブル電子デバイス、制御方法及びコンピュータプログラム製品の実施例によれば、アプリケーションに関連している実行情報が、収集され記憶される。そして、ユーザの挙動を形成するためのアプリケーション使用履歴が生成され、実行のために要求される最も可能性の高いアプリケーションが特定される。したがって、適切な時刻、又は位置において提供されているアプリケーションのショートカットアイコンによって、ユーザは、特定されたアプリケーションを起動させることができ利便性が高まる。ユーザの所望のアプリケーションにたどり着くためにメニューの階層構造を開かなければならない従来の方法と比較して、本実施例において提供されるショートカットアイコンは、ユーザが便利に、かつ迅速にユーザのアプリケーションを起動させることを可能にする。したがって、ポータブル電子デバイスを使用するための利便性が高まり、かつポータブル電子デバイスのオペレーションはより単純となり、かつ効率的となる。
【００３３】
さまざまな修正及び変更を開示された実施例に施すことができることは、当業者にとって明らかである。明細書及び実施例は、例示的なものとして考慮されることを意図したものである。以下に示される請求項によって、開示及びそれらの均等物の正確な技術的範囲が規定される。
【図１】
0005372182.tif 000002
【図２】
0005372182.tif 000003
【図３】
0005372182.tif 000004